(57)【要約】【課題】  ポケット等への挿着時に大きな挟持力が得られるとともに、挿着深さを長くし、かつ筆記具の後端部がポケットから上方に突出する長さを短くして、紛失を防ぐようにした筆記具を提供する。【解決手段】  本体軸やキャップ等の筒体３の後端部４に、側面視ほぼ倒立Ｌ字状をなす板ばね５の一端部８を、他端部９が後方を向くようにして固定するとともに、前記他端部９をもってクリップ２の後端部１８を支持することにより、クリップ２の前端部２ａを筒体３の表面に向けて付勢させた状態で、クリップ２を筒体３に取り付ける。【選択図】        図３
2005231317.tif 000002
【特許請求の範囲】
【請求項１】
本体軸やキャップ等の筒体の後端部に、側面視ほぼ倒立Ｌ字状をなす板ばねの一端部を、他端部が後方を向くようにして固定するとともに、前記他端部をもってクリップの後端部を支持することにより、クリップの前端部を筒体の表面に向けて付勢させた状態で、クリップを筒体に取り付けたことを特徴とする筆記具におけるクリップの取付構造。
【請求項２】
クリップの後端部における前記筒体と対面する内側面に凹部を設け、板ばねの前記他端部における後方に向けた遊端を、前記凹部に挿着させることにより、板ばねの前記他端部をもって、クリップの後端部を支持させたことを特徴とする請求項１記載の筆記具におけるクリップの取付構造。
【請求項３】
前記筒体の後端面に、板ばねの係止部を備える後方に向けて突出するばね係止用突出部を設け、貫通穴を備える取付部材の前記貫通穴を貫通させた後の前記ばね係止用突出部の係止部に、板ばねの一端部を係止させることにより、前記取付部材を筒体に取り付けるとともに、板ばねの他端部をクリップの後端部に設けた凹部に挿着し、かつ脱離防止手段によって、クリップと取付部材間の脱離を防止したことを特徴とする請求項１または２に記載の筆記具におけるクリップの取付構造。
【請求項４】
前記ばね係止用突出部を、軸線に対する直角断面がほぼ四辺形状のものに形成し、その左右側面に係止溝を設けるとともに、板ばねの一端部を遊端からほぼＵ字状に切欠き、このＵ字状の左右の側片を、前記左右の係止溝にそれぞれ係止させることにより、板ばねの一端部をばね係止用突出部に係止させたことを特徴とする請求項３記載の筆記具におけるクリップの取付構造。
【請求項５】
前記取付部材を、ばね係止用突出部を貫通させる貫通穴を備えたほぼ円板状体の左右に後方に向けて側板を連設したものに形成し、前記側板に左右方向の通孔を設けるとともに、クリップの後端部に同じく左右方向の通孔を設け、クリップの後端部を、取付部材における左右の側板間に嵌入し、クリップと取付部材の両通孔の位置を整合させ、かつ脱離防止手段として前記の両通孔に止めピンを挿通することにより、クリップと板ばね間の脱離を防止したことを特徴とする請求項３または４に記載の筆記具におけるクリップの取付構造。
【請求項６】
クリップの前記通孔を、側面視において長孔としたことを特徴とする請求項５記載の筆記具におけるクリップの取付構造。
【請求項７】
筆記具を、ボールペン、シャープペンシル、マーキングペン、万年筆のいずれかとしたことを特徴とする請求項１〜６のいずれかに記載の筆記具におけるクリップの取付構造。
【発明の詳細な説明】
【技術分野】
【０００１】
本発明は、筆記具におけるクリップの取付構造に関する。
【背景技術】
【０００２】
ボールペンやシャープペンシル等の筆記具には、一般に後端部にクリップが取り付けられ、ポケット等に挿着して携帯し易いようになっている。
クリップは、筆記具における本体軸やキャップ等の筒体の後端部に取り付けられ、クリップの前端部は、筒体の表面に向けて付勢されている。
【０００３】
この付勢力を付与する手段としては、クリップを形成する合成樹脂の弾性変形を利用したものの外に、コイルばねを利用したものもある。
しかし、これら合成樹脂の弾性変形やコイルばねを利用した場合は、大きな付勢力が得られず、携帯中に筆記具が挿着したポケット等から外れて、紛失する場合がある。
そのため、大きな付勢力を付与できるように、板ばねを利用したものが提案されている（例えば、特許文献１）。
【０００４】
特許文献１に記載のものは、本体軸やキャップ等の筒体の後端よりも前方に枢支部を設け、この枢支部をもってクリップを支持したうえで、枢支部よりも後方に配設した板ばねを利用して、クリップの前端部を筒体の表面に弾圧接させるようにしたものである。
【０００５】
しかし、この筆記具では、クリップの枢支部が、筒体の後端よりも前方に設けられているため、ポケット等に挿着したときに、挿着深さが短くなるばかりでなく、筆記具の後端部が、ポケットから上方に突出するため、筆記具がポケットから外れて紛失し易いという問題がある。
【０００６】
さらに、枢支部に板ばねによる大きな力が負荷され、一般に合成樹脂で形成されている枢支部が破損する虞もある。
さらにまた、板ばねが外部に露出しているため、錆や損傷を受ける虞もある。
【特許文献１】特開２００１−１４６０９４号公報（図１，図２参照）
【発明の開示】
【発明が解決しようとする課題】
【０００７】
本発明は、前記の現状に鑑み、筆記具をポケット等に挿着した場合に、クリップの大きな挟持力を得るために板ばねを用いるとともに、挿着深さを長くし、かつ筆記具の後端部がポケットから上方に突出する長さを可及的に短くして、筆記具の紛失を防ぎ、さらに枢支部に板ばねからの大きな力が負荷されて破損する虞がないようにした、筆記具におけるクリップの取付構造を提供することを目的とする。
【課題を解決するための手段】
【０００８】
本発明によると、上記課題は、次のようにして解決される。
(１)  本体軸やキャップ等の筒体の後端部に、側面視ほぼ倒立Ｌ字状をなす板ばねの一端部を、他端部が後方を向くようにして固定するとともに、前記他端部をもってクリップの後端部を支持することにより、クリップの前端部を筒体の表面に向けて付勢させた状態で、クリップを筒体に取り付ける。
【０００９】
(２)  上記(１)項において、クリップの後端部における前記筒体と対面する内側面に凹部を設け、板ばねの前記他端部における後方に向けた遊端を、前記凹部に挿着させることにより、板ばねの前記他端部をもって、クリップの後端部を支持させる。
【００１０】
(３)  上記(１)項または(２)項において、前記筒体の後端面に、板ばねの係止部を備える後方に向けて突出するばね係止用突出部を設け、貫通穴を備える取付部材の前記貫通穴を貫通させた後の前記ばね係止用突出部の係止部に、板ばねの一端部を係止させることにより、前記取付部材を筒体に取り付けるとともに、板ばねの他端部をクリップの後端部に設けた凹部に挿着し、かつ脱離防止手段によって、クリップと取付部材間の脱離を防止する。
【００１１】
(４)  上記(３)項において、前記ばね係止用突出部を、軸線に対する直角断面がほぼ四辺形状のものに形成し、その左右側面に係止溝を設けるとともに、板ばねの一端部を遊端からほぼＵ字状に切欠き、このＵ字状の左右の側片を、前記左右の係止溝にそれぞれ係止させることにより、板ばねの一端部をばね係止用突出部に係止させる。
【００１２】
(５)  上記(３)項または(４)項において、前記取付部材を、ばね係止用突出部を貫通させる貫通穴を備えたほぼ円板状体の左右に後方に向けて側板を連設したものに形成し、前記側板に左右方向の通孔を設けるとともに、クリップの後端部に同じく左右方向の通孔を設け、クリップの後端部を、取付部材における左右の側板間に嵌入し、クリップと取付部材の両通孔の位置を整合させ、かつ脱離防止手段として前記の両通孔に止めピンを挿通することにより、クリップと板ばね間の脱離を防止する。
【００１３】
(６)  上記(５)項において、クリップの前記通孔を、側面視において長孔とする。
【００１４】
(７)  上記(１)項〜(６)項のいずれかにおいて、筆記具を、ボールペン、シャープペンシル、マーキングペン、万年筆のいずれかとする。
【発明の効果】
【００１５】
本発明によると、次のような効果が奏せられる。
ａ)  前記(１)項記載の発明によれば、板ばねを用いているため、筆記具をポケット等に挿着した場合に、クリップの大きな挟持力が得られるとともに、本体軸やキャップ等の筒体の後端部に固定した板ばねの遊端を後方に向けた他端部をもって、クリップの後端部が支持されているため、筆記具をポケット等に挿着した場合における挿着深さを長くし、かつ筆記具の後端部がポケットから上方に突出する長さを可及的に短くすることができる。
そのため、筆記具がポケットから簡単には外れ難くなり、筆記具の紛失を可及的に防ぐことができる。
さらに、板ばねの一端部をもってクリップを支持しているため、従来の筆記具におけるように、枢支部に板ばねからの大きな力が負荷され破損するといった虞がない。
【００１６】
ｂ)  前記(２)項記載の発明によれば、板ばねの一端部をもって、クリップの後端部を容易に支持させることができるとともに、板ばねが外部に露出しないため、錆や損傷を受ける虞もない。
【００１７】
ｃ)  前記(３)項記載の発明によれば、取付部材の貫通穴を貫通させた後のばね係止用突出部の係止部に、板ばねの一端部を係止させてあるため、板ばねと取付部材の両者が筒体の後端部に固定されるとともに、板ばねの他端部をクリップの後端部に設けた凹部に挿着してあるため、クリップが板ばねによって支持され、かつクリップと取付部材間の脱離を防止してあるため、クリップが取付部材を介して、筒体に安定的に取り付けられている。
【００１８】
ｄ)  前記(４)項記載の発明によれば、板ばねの一端部を、簡単に、かつ位置安定性が良好な状態でばね係止用突出部に取り付けることができる。
【００１９】
ｅ)  前記(５)項記載の発明によれば、取付部材を貫通穴を介して感単にばね取付用突出部に取り付けることができるとともに、クリップの後端部を、取付部材における左右の側板間に嵌入させてあるため、クリップを支持する板ばねの外部への露出が防止され、かつ取付部材とクリップの両通孔に止めピンが挿通してあるため、クリップと板ばね間の脱離が防止される。
【００２０】
ｆ)  前記(６)項記載の発明によれば、長孔内に挿通される止めピンに、板ばねからの大きな力が負荷されないため、止めピンが破損して、クリップと板ばね間に脱離が生じることが防止される。
【００２１】
ｇ)  前記(７)項記載の発明によれば、本発明を実施したボールペン、シャープペンシル、マーキングペン、万年筆において、前記(ａ)項〜(ｆ)項に記載の効果が奏せられる。
【発明を実施するための最良の形態】
【００２２】
以下、本発明の実施形態を、図面に基づいて説明する。
【実施例】
【００２３】
図１は、本発明のクリップの取付構造を備えるボールペンの側面図、図２は、クリップの取付構造を示す要部拡大分解斜視図、図３，図４は、一部を中央縦断面して示す要部拡大側面図であり、図３は、クリップの前端部が、板ばねの付勢力によって筒体の表面に弾圧接している状態を示し、図４は、板ばねの付勢力に抗して、クリップの前端部を筒体の表面から離した状態を示す。
【００２４】
図５，図６，図７は、それぞれ、図３におけるＶ〜Ｖ線、VI〜VI線、VII〜VII線の断面図である。
【００２５】
本発明は、図１に示すように、ボールペン、シャープペンシル、マーキングペン、万年筆等の筆記具(１)におけるクリップ(２)の取付構造であって、本体軸やキャップ等の筒体(３)の後端部(４)に、板ばね(５)によってクリップ(２)が支持されているものに関する。
【００２６】
筒体(３)内には、黒、赤色用などの芯軸(６)が、周知の手段で格納されており、使用の際には、所望の色の芯軸(６)を選んで、その先端(6a)を、筒体(３)の前端開口(７)から突出させることができるようになっている。
【００２７】
図２に示すように、クリップ(２)を支持する板ばね(５)は、側面視ほぼ倒立Ｌ字状に形成され、その両方の端部(８)(９)には、それぞれ、遊端(8a)(9a)からほぼＵ字状の切込みが設けられている。
【００２８】
筒体(３)の後端面(10)には、後方に向けて突出するばね係止用突出部(11)が設けられている。ばね係止用突出部(11)は、軸線に対する垂直断面がほぼ四辺形状に形成され、その左右上下の側面に係止溝(12)が設けられている。
【００２９】
一方、四辺形状の貫通穴(13)を有する円板状体(14)の左右に、後方に向けて側面視ほぼ後向Ｕ字状の側板(15)(15)を連設してなる取付部材(16)が用意されている。
【００３０】
この取付部材(16)の貫通穴(13)に前記ばね係止用突出部(11)を貫通して、ばね係止用突出部(11)における係止溝(12)を、取付部材(16)における円板状体(14)よりも後方に位置させた後、板ばね(５)の一端部(８)における切込みの両側の左右側片(17)(17)を、前記係止溝(12)に係止させることにより、板ばね(５)は、その他端部(９)における遊端(9a)を後方に向けた状態で、ばね係止用突出部(11)を介して、筒体(３)の後端部(４)に固定されている。
【００３１】
取付部材(16)は、板ばね(５)における左右側片(17)(17)を、前記係止溝(12)に係止させることにより、ばね係止用突出部(11)を介して筒体(３)に取り付けられている。
【００３２】
クリップ(２)の後端部(18)は、筒体(３)に向けて湾曲されており、前記後端部(18)における筒体(３)と対面する内側面(19)には、後方を向く凹部(20)が設けられている。
【００３３】
この凹部(20)に、板ばね(５)における後方に向けた遊端(9a)を挿着させることによって、クリップ(２)は板ばね(５)により支持されている。
【００３４】
前記凹部(20)の後端下部には、左右方向の通孔(21)が設けられ、この通孔(21)は、側面視において前下向きに傾斜する長孔となっている（図３参照）。
【００３５】
一方、取付部材(16)における左右の側板(15)(15)にも、左右方向の通孔(22)が設けられている。
【００３６】
クリップ(２)の後端部(18)を、取付部材(16)における前記左右の側板(15)(15)間に嵌入し、クリップ(２)と取付部材(16)の両通孔(21)(22)の位置を整合させ、かつ脱離防止手段として、前記通孔(21)(22)に止めピン(23)を挿通させることにより、クリップ(２)は、取付部材(16)に対して後方に移動することがないようにして取り付けられ、クリップ(２)と板ばね(５)とが脱離しないようにしてある。
【００３７】
図３に示すように、クリップ(２)の前端部には、筒体(３)に向けて突起部(2a)が設けられており、この突起部(2a)が筒体(３)の表面に弾圧接している状態においては、ばね係止用突出部(11)の後端面(11a)と、クリップ(２)の後端部(18)における前記後端面(11a)と対面する対向面(19a)間には、隙間Ｌが形成されるようにしてある。
【００３８】
筆記具(１)を、ポケット等に挿着するために、図４に示すように、クリップ(２)の前端部における突起部(2a)を、筒体(３)の表面から離れる方向に移動させると、板ばね(５)によって支持されているクリップ(２)は、板ばね(５)におけるＬ字状の折点近傍を支点として回動し、前記隙間Ｌは小さくなる。同時に、止めピン(23)は、その位置が固定されているため、クリップ(２)における通孔(22)が前記止めピン(23)に対して相対的に下方前向きに移動するが、通孔(22)は長孔となっているため、クリップ(２)の回動によって、止めピン(23)に負荷される力が増大することはない。
【００３９】
クリップ(２)の前端部における突起部(2a)が、板ばね(２)によって筒体(３)の表面に向けて大きな力で付勢されているため、筆記具(１)をポケット等に安定した状態で挿着することができる。
【図面の簡単な説明】
【００４０】
【図１】本発明のクリップの取付構造を備えるボールペンの側面図である。
【図２】クリップの取付構造を示す要部拡大分解斜視図である。
【図３】一部を中央縦断面して示す要部拡大側面図であり、クリップの前端部が、板ばねの付勢力によって筒体の表面に弾圧接している状態を示す。
【図４】同じく、一部を中央縦断面して示す要部拡大側面図であり、クリップの前端部を、板ばねの付勢力に抗して、筒体の表面から離した状態を示す。
【図５】図３におけるＶ〜Ｖ線の断面図である。
【図６】同じく、図３におけるVI〜VI線の断面図である。
【図７】同じく、図３におけるVII〜VII線の断面図である。
【符号の説明】
【００４１】
(１)筆記具
(２)クリップ
(2a)突起部
(３)筒体
(４)後端部
(５)板ばね
(６)芯軸
(6a)先端
(７)前端開口
(８)(９)端部
(8a)(9a)遊端
(10)後端面
(11)ばね係止用突出部
(11a)後端面
(12)係止溝
(13)貫通穴
(14)円板状体
(15)側板
(16)取付部材
(17)側片
(18)後端部
(19)内側面
(19a)対向面
(20)凹部
(21)(22)通孔
(23)止めピン
【図１】
2005231317.tif 000003
【図２】
2005231317.tif 000004
【図３】
2005231317.tif 000005
【図４】
2005231317.tif 000006
【図５】
2005231317.tif 000007
【図６】
2005231317.tif 000008
【図７】
2005231317.tif 000009